(57)【要約】      （修正有）【課題】仮設トイレ設備やポータブルトイレの設置から撤去までを、その設置場所，設置数量，設置期間，設置期間中における排泄物など貯留物の回収を含むメンテナンスに関して、効率よく、かつ、効果的に運用するための管理システムを提供すること。【解決手段】仮設トイレ設備の設置と撤去を行う運営業者１が、それらの設置場所，数量，期間に関する各情報を、前記の設置場所を基礎データとしそれに連繋させた形でサーバーコンピュータ２の記憶装置に書込んで仮設トイレ設備の設置データベースを形成する。メンテナンス業者３及び回収業者４は、前記サーバーコンピュータ２から供給される供給データと設定したルートデータに基づいて夫々にメンテナンス作業又は回収作業を行う。前記メンテナンス作業又は回収作業において回収された廃棄物を炭化プラント又はコンポスト化プラント若しくは焼却炉において炭化又は堆肥化若しくは焼却により処理する。【選択図】図１
2005071121.tif 000002
【特許請求の範囲】
【請求項１】
少なくとも２箇所以上に撤去を前提に設置される仮設トイレ設備について、その設置と撤去を行う運営業者が、それらの設置場所，数量，期間に関する各情報を、前記の設置場所を基礎データとしそれに連繋させた形でサーバーコンピュータの記憶装置に書込んで仮設トイレ設備の設置データベースを形成する、
前記データベースにおける各設置場所について、それぞれの設置期間中のメンテナンス間隔と回収タイミングのデータを前記サーバーコンピュータに設定する、
前記の各設置場所に居る工事業者などの業者，メンテナンス業者，回収業者に前記サーバーコンピュータに接続されるコンピュータを含む端末機器を設置すると共に、各端末機器に、前記サーバーコンピュータから各設置場所についてのメンテナンス間隔並びに回収タイミングのデータを供給する、
メンテナンス業者と回収業者、又は運営業者は、複数の前記設置場所について、夫々の場所でのメンテナンス間隔又は回収タイミングに基づき同日中にメンテナンス又は回収を行うために巡回する少なくとも１つ又は２つ以上のルートを設定する、
メンテナンス業者及び回収業者は、前記サーバーコンピュータから供給される供給データと設定したルートデータに基づいて夫々にメンテナンス作業又は回収作業を行う、
前記メンテナンス作業又は回収作業において回収された廃棄物を炭化プラント又はコンポスト化プラント若しくは焼却炉において炭化又は堆肥化若しくは焼却により処理する、
ことを特徴とする仮設トイレ設備の管理システム。
【請求項２】
運営業者とメンテナンス業者は同一業者が兼用する請求項１の仮設トイレ設備の管理システム。
【請求項３】
回収業者とメンテナンス業者は同一業者が兼用する請求項１の仮設トイレ設備の管理システム。
【請求項４】
仮設トイレ設備の複数の設置場所を、メンテナンス間隔又は回収タイミングに基づいて複数のルートに分け、各ルートにおいて各設置場所を最短距離で繋ぐルートを設定する請求項１〜３のいずれかの仮設トイレ設備の管理システム。
【請求項５】
仮設トイレ設備は、排泄物をパック式で貯溜する形式の設備である請求項１〜４のいずれかの仮設トイレ設備の管理システム。
【請求項６】
サーバーコンピュータの設置データベースは、一日単位で更新されて新たな設置場所のメンテナンス間隔と回収タイミングのデータがメンテナンス業者と回収業者の端末機器に供給される請求項１〜５のいずれかの仮設トイレ設備の管理システム。
【請求項７】
仮設トンネル設備には、病院や介護施設などに設置されるポータブルトイレを含む請求項１〜６のいずれかの仮設トイレ設備の管理システム。
【発明の詳細な説明】
【技術分野】
【０００１】
本発明は工事現場やイベント会場などに、後で撤去することを前提に設置される仮設トイレ設備の設置から撤去までと、その間における貯溜排泄物の回収やメンテナンス、或は、病院や介護施設などで使用されるポータブルトイレに貯まる排泄物などの回収やメンテナンスを、コンピュータを使用して効率よくかつ省力的，省エネルギ的に運用するための管理システムに関する。
【背景技術】
【０００２】
従来より、工事現場やイベント会場などのように、恒常的に人が居住しない場所で前記工事等の期間中だけ使用されるトイレ設備を仮設することが行われている。
【０００３】
上記のように、仮設トイレ設備は、設置される場所や必要とする期間が不確定であり、また、設置されるとしてもいずれは撤去されてしまう仮設のものであるところから、仮設トイレ設備の設置や撤去だけでも、その管理は煩雑にならざるを得なかった。
【０００４】
しかも、上記仮設トイレ設備は、いずれ撤去される仮設ゆえに水洗式にしたり、し尿等の貯溜物の引取りを専門業者に固定的に委託することが行い難いため、当該設備の設置，撤去に係る管理の難しさに加え、設置期間中には様々なメンテナンスをする必要があるので、なかなか効果的な管理方法が採れない、というのが現状である。また、病院や介護施設、或は、いわゆる老人ホームや一般家庭で使用されるポータブルトイレについても、前記の仮設トイレ設備と同様の問題がある。
【発明の開示】
【発明が解決しようとする課題】
【０００５】
そこで本発明は、管理が難かしい仮設トイレ設備やポータブルトイレ（以下、これらをまとめて「仮設トイレ設備」という）の設置から撤去までを、その設置場所，設置数量，設置期間，設置期間中における排泄物など貯留物の回収を含むメンテナンス、並びに、回収した貯留物の取扱いに関して、効率よく、かつ、効果的に運用するための管理システムを提供することを、課題とするものである。
【課題を解決するための手段】
【０００６】
上記課題を解決することを目的としてなされた本発明の構成は、少なくとも２箇所以上に撤去を前提に設置される仮設トイレ設備について、その設置と撤去を行う運営業者が、それらの設置場所，数量，期間に関する各情報を、前記の設置場所を基礎データとしそれに連繋させた形でサーバーコンピュータの記憶装置に書込んで仮設トイレ設備の設置データベースを形成する、
前記データベースにおける各設置場所について、それぞれの設置期間中のメンテナンス間隔と回収タイミングのデータを前記サーバーコンピュータに設定する、
前記の各設置場所に居る工事業者などの業者，メンテナンス業者，回収業者に前記サーバーコンピュータに接続されるコンピュータを含む端末機器を設置すると共に、各端末機器に、前記サーバーコンピュータから各設置場所についてのメンテナンス間隔並びに回収タイミングのデータを供給する、
メンテナンス業者と回収業者、又は運営業者は、複数の前記設置場所について、夫々の場所でのメンテナンス間隔又は回収タイミングに基づき同日中にメンテナンス又は回収を行うために巡回する少なくとも１つ又は２つ以上のルートを設定する、
メンテナンス業者及び回収業者は、前記サーバーコンピュータから供給される供給データと設定したルートデータに基づいて夫々にメンテナンス作業又は回収作業を行う、
前記メンテナンス作業又は回収作業において回収された廃棄物を炭化プラント又はコンポスト化プラント若しくは焼却炉において炭化又は堆肥化若しくは焼却により処理する、
ことを特徴とするものである。
【０００７】
上記の本発明管理システムにおいては、仮設トイレ設備は、人から排出されるし尿を適宜量単位でパックし、そのパッケージごと外部に排出する形式のものが好ましい。また、メンテナンス業者と回収業者は、同一業者が兼用することがある。更に、上記管理システムにおいて、メンテナンス、及び／又は、回収により生じた貯溜物などの廃棄物は、その処理設備や処理プラントを備えた処理工場などに搬入し、そこで、持込まれた廃棄物を炭化したり堆肥化し、或は、焼却又は廃棄する。なお、処理設備や同プラントで炭化された廃棄物は、土壌改良剤，消臭剤，調湿剤，融雪剤などとして利用することができ、また堆肥化された廃棄物は堆肥として利用可能であるから、これらを商品として販売することもできる。
【発明の効果】
【０００８】
本発明管理システムでは、ランダム，不定期に設置されて撤去される複数の場所の仮設トイレ設備の運用を、コンピュータに形成する業務逐行用のデータによって、夫々の専門業者に業務を分担させて行うようにしたので、効果的かつ効率のよい仮設トイレ設備の運用を図ることができる。
【発明を実施するための最良の形態】
【０００９】
次に本発明管理システムの実施の形態例について、図を参照し乍ら説明する。図１は本発明管理システムを形成する複数の場所に設置された仮設トイレ設備（工事現場，イベント会場など）とその設置業者（運営業者）、並びに、メンテナンス業者及び回収業者と処理業者との関係を模式的に例示したブロック図、図２は本発明管理システムにおけるサーバーコンピュータと接続された各業者などの各端末機器におけるデータのやり取りを模式的に例示したブロック図である。
【００１０】
図１において、１は、工事現場やイベント会場など、仮設トイレ設備を必要とする夫々の場所に、工事業者やイベント主催者などからの発注，要請を受けて仮設トイレ設備T1，T2，T3・・・・・・を設置し、工事や催事が終了すれば前記設備T1，T2，T3・・・・・・を撤去する設置業者であって、サーバーコンピュータ２を備えた本発明管理システムの運営業者である。この場合の仮設トイレ設備には病院や介護施設などに貸出しなどにより設置されるポータブルトイレが含まれることは先に述べた通りであり、この点は以下の説明においても同じである。
【００１１】
運営業者１は、仮設トイレ設備を必要とする工事業者やイベント主催者などから仮設トイレの設置の要請（注文）が入りそれを受注すると、その受注内容からその設置場所，設置数量，設置期間，使用人数などの設置データを抽出形成し、これをサーバーコンピュータ２に入力する。このサーバーコンピュータ２には、カレンダーデータと地図データとが予め搭載されている。
【００１２】
サーバーコンピュータ２では、各トイレ設備の設置場所が、その場所を示す地図データ上のアドレスデータ（以下、場所データという）において設定される。また、各場所データにリンクさせて、各場所での仮設トイレ設備の設置期間，設置数量，撤去時期のデータが基本データとして設定される。そして、上記の基本データに基づいて、各設置場所におけるそれぞれのメンテナンス間隔，回収タイミングのデータを設定することにより、データベースを形成する。なお、上記の設置期間，メンテナンス間隔，回収タイミングの各データは、カレンダーデータに同期して設定される。
【００１３】
本発明において、設置される仮設トイレ設備T1，T2，T3・・・・・・は、一例としていわゆるパック式で排泄物を溜めて封口しそれを貯溜するパック貯溜式の仮設トイレであるが、本発明システムはいわゆるパック貯溜式の仮設トイレ設備に限られず適用可能である。また、本明細書における仮設トイレ設備の各符号T1〜T3・・・・・・は、夫々に少なくとも１個又は複数個の仮設トイレ設備を意味するものとする。
【００１４】
上記の設置された仮設トイレ設備T1〜T3・・・・・・に対しては、消耗品である紙やパックを補充したり、不具合などの点検，調節をするメンテナンス業者３と、各設備T1〜T3・・・・・・においてパックされて貯溜される排泄物を回収し、後述する処理業者へ搬入する回収業者４とがあり、両業者３，４とも、前記コンピュータに接続されたコンピュータを端末機器５，６として備えている。
【００１５】
７，８は、上記のメンテナンス業者３及び回収業者４が各トイレ設備T1〜T3・・・・・・から回収した使用済用品類やパックされた排泄物を処理する処理業者で、各処理業者７，８の処理業務は、搬入される使用済用品類やパックされた排泄物を炭化装置や炭化プラントを用いて炭化する炭化処理、又は、前記排泄物をコンポスト化装置やコンプスト化プラントを用いて堆肥化する堆肥化処理、或は、焼却炉などによって焼却してしまう焼却処理などの処理内容であり、そのための処理設備や処理プラントは、公知のものを備えているものとする。９，10は上記処理業者７，８が具備し、前記サーバーコンピュータ２に接続されたコンピュータによる端末機器である。
【００１６】
11，12，13・・・・・・は、各工事現場或はイベント会場など、上記の仮設トイレ設備T1〜T3・・・・・・が設置される現場（場所）に配置されたコンピュータによる端末機器で、前記サーバーコンピュータ２に接続されている。なお、上記における各端末機器５，６、９，10、11〜13・・・・・・は、コンピュータに限られるものではなく、携帯電話やPDAなども含む概念である。
【００１７】
メンテナンス業者３の端末機器５には、上記サーバーコンピュータ２から各トイレ設備T1〜T3・・・・・・の場所データと夫々の場所のメンテナンス間隔のデータが供給される。
【００１８】
また、回収業者４の端末機器６にもサーバーコンピュータ２から各トイレ設備T1〜T3・・・・・・の場所データと夫々の場所でパックされて貯留されている排泄物の回収タイミングのデータが供給される。なお、各業者３，４の端末機器５，６にも、サーバーコンピュータ２のカレンダーデータと同期したカレンダーデータが備えられている。
【００１９】
各トイレ設備T1〜T3・・・・・・の場所データとメンテナンス間隔のデータを供給されたメンテナンス業者３、及び、前記と同じ場所データと回収タイミングのデータを供給された回収業者４は、夫々の仮設トイレ設備T1〜T3・・・・・・が置かれている各場所間の距離や道路事情などの地理的状況とメンテナンス間隔或は回収タイミングなどを勘案して、メンテナンス又は回収に行く仮設トイレ設備T1〜T3への順序と径路を決める。そして、順序と径路のデータは、メンテナンスや回収の日時（又は間隔）のデータと共に、夫々の端末機器５，６からサーバーコンピュータ２に返される。
【００２０】
運営業者１では、サーバーコンピュータ２に返されて来る各仮設トイレ設備T1〜T3・・・・・・についての各業者３，４から返されたデータを取込み、取込みデータに基づいて各業者３，４の業務管理用データを形成して記憶装置に格納する。同時に、各場所の仮設トイレ設備T1〜T3・・・・・・の現場に備えられた各端末機器11〜13に、夫々に、各トイレ設備T1〜T3・・・・・・に対する業務管理用データの中から夫々の仮設トイレ設備ごとにメンテナンスデータと回収データとを供給する。
【００２１】
一方、処理業者７，８では、その端末機器9，10と運営業者１のサーバーコンピュータ２の間で、若しくは、前記端末機器７，８とメンテナンス業者３の端末機器５並びに回収業者４の端末機器６との間で、直接に又はサーバーコンピュータ２を中間に介在させて間接的に情報を取り交わし、メンテナンス業者３及び回収業者４が搬入する処理すべき廃棄物の搬入タイミング（日時）と搬入量についての搬入データを、夫々の業者７，８の端末機器９，10に設定する。処理業者７，８の端末機器９，10に設定される搬入データは、前記サーバーコンピュータ２、並びに、メンテナンス業者３，回収業者４の各端末機器５，６にも提供されて、それぞれの記憶装置に格納される。
【００２２】
以上のようにして、工事現場や期間限定イベント会場などに運営業者１によってランダムに設置され用済み後に撤去される仮設トイレ設備に関して、それらの設置場所，設置数量，設置期間を設定し、主として消耗品の補充や取替えなどを行うメンテナンス業者３と貯溜排泄物の回収を行う回収業者４のために、各場所における仮設トイレ設備T1〜T3・・・・・・の夫々に対してのメンテナンス期間とメンテナンス間隔、或は、回収時期と回収タイミングを形成し、形成されたデータをメンテナンス業者３と回収業者４の端末機器５と６、並びに、各仮設トイレ設備T1〜T3・・・・・・の場所に備えられた端末機器11〜13に供給する一方、処理業者７，８に関しては、前記仮設トイレ設備T1〜T3・・・・・・から生成する処理物の搬入タイミングやその時々の搬入量を設定し、そのデータをサーバーコンピュータ２と上記の各端末機器５〜８に供給する。
【００２３】
以上により、設定した各データに基づいてメンテナンス業者３と回収業者４、同じく処理業者７と８に、各場所に設置した仮設トイレ設備T1〜T3・・・・・・についての実体面の運用を夫々に委託する。夫々の業務を受託した各業者２，３、同７，８は、供給された夫々のためのデータに基づいて設定されたタイムスケデュールにより夫々の業務を逐行する。
【００２４】
各業者３，４、同７，８による業務逐行において、或は、仮設トイレ設備T1〜T3・・・・・・を設置した各場所において、初期設定データに基づく各業務では不都合や不具合がある場合、例えば、メンテナンスや回収のタイミングの遅速、或は、メンテナンスや回収の多寡があることを、各業者３，４、同７，８や仮設トイレ設備の設置場所のいずれかにおいて判断した場合、運営業者１と各業者が協議するなどして不都合や不具合を解消できるように、サーバーコンピュータ２の初期設定条件（業務管理データ）を変更する。
【００２５】
仮設トイレ設備T1〜T3・・・・・・の設置、並びに、その撤去については、時間の径過に伴って、その設置場所や数量が変化する。運営業者１は新たな設置や撤去について、サーバーコンピュータ２のデータベースを書換え、管理データを逐次更新する。更新された管理データは、各業者３，４、同７，８の各端末機器５，６、同９，10と仮設トイレ設備の各設置場所における夫々の端末機器11〜13に供給されて、仮設トイレ設備T1〜T3・・・・・・の使用（利用）、メンテナンス、貯留排泄物などの回収、回収物の処理のための夫々の業務が逐行される。
【産業上の利用可能性】
【００２６】
本発明は、複数の工事現場などの場所にランダムかつ不定期間で設置される仮設トイレ設備の設置から撤去までと、その間の運用を、設置期間中のメンテナンスから貯溜排泄物の回収、並びに、処理を含んで専門業者に効率よく効果的に逐行してもらうためのシステムとして構築したので、運用，管理が煩雑で非効率であった仮設トイレ設備の管理システムとしてきわめて有用である。
【図面の簡単な説明】
【００２７】
【図１】本発明管理システムを形成する複数の場所に設置された仮設トイレ設備（工事現場，イベント会場など）とメンテナンス業者及び回収業者との関係を模式的に例示したブロック図。
【図２】本発明管理システムにおけるホストコンピュータと接続された各端末機器におけるデータのやり取りを模式的に例示したブロック図。
【符号の説明】
【００２８】
１            運営業者
２            サーバーコンピュータ
３            メンテナンス業者
４            回収業者
５            メンテナンス業者の端末機器
６            回収業者の端末機器
７，８        処理業者
９，10        処理業者の端末機器
T1〜T3・・・    仮設トイレ設備
11〜13        各仮設トイレ設備の設置場所の端末機器
【図１】
2005071121.tif 000003
【図２】
2005071121.tif 000004